(57)【要約】【課題】ＰＳＴＮ回線、及びＩＰ回線に接続され、画像データの通信を行う画像処理装置において、ＰＳＴＮ回線で異常が発生した場合でも画像データの通信を行うことができるようにする。【解決手段】画像処理装置は、ＰＳＴＮ回線、及びＩＰ回線に接続される画像処理装置であって、前記ＰＳＴＮ回線を介して送信先に画像データを送信する第１の送信を行う第１の送信手段と、前記ＩＰ回線を介して前記送信先に前記画像データを送信する第２の送信を実行可能な第２の送信手段と、前記第１の送信で発生する異常を検出する検出手段と、前記検出手段により所定の異常が検出された場合、前記送信先に前記画像データを送信する前記第２の送信を、前記第２の送信手段に実行させる通信制御手段と、を有する。【選択図】図１
2018152741.tif 000002
【特許請求の範囲】
【請求項１】
ＰＳＴＮ回線、及びＩＰ回線に接続される画像処理装置であって、
前記ＰＳＴＮ回線を介して送信先に画像データを送信する第１の送信を行う第１の送信手段と、
前記ＩＰ回線を介して前記送信先に前記画像データを送信する第２の送信を実行可能な第２の送信手段と、
前記第１の送信で発生する異常を検出する検出手段と、
前記検出手段により所定の異常が検出された場合、前記送信先に前記画像データを送信する前記第２の送信を、前記第２の送信手段に実行させる通信制御手段と、
を有する、画像処理装置。
【請求項２】
前記ＩＰ回線はＮＧＮ回線であり、
前記第２の送信手段は、ＳＩＰプロトコルを用いて前記画像処理装置を前記送信先に接続する、請求項１に記載の画像処理装置。
【請求項３】
前記検出手段は、前記第１の送信で異常が発生した場合、前記第１の送信で前記画像データを前記送信先に送信可能であるか否かを判断し、
前記通信制御手段は、前記第１の送信で前記画像データを前記送信先に送信可能でないと判断された場合、前記第２の送信手段に前記第２の送信を実行させる、請求項１又は２に記載の画像処理装置。
【請求項４】
前記検出手段により前記ＰＳＴＮ回線の通信回線に異常があることが検出された場合、前記第１の送信手段は、前記第１の送信のリトライを行い、
前記検出手段は、予め定められた時間内に前記第１の送信が完了しない場合、前記第１の送信で前記画像データを前記送信先に送信可能でないと判断する、請求項３に記載の画像処理装置。
【請求項５】
前記検出手段は、前記第１の送信手段の変復調部に異常があることが検出された場合、前記変復調部の変復調機能が正常に動作するか否かを判断し、
前記検出手段は、前記変復調機能が正常に動作しないと判断された場合、前記第１の送信で前記画像データを前記送信先に送信可能でないと判断する、請求項３又は４に記載の画像処理装置。
【請求項６】
前記第１の送信手段は、前記変復調機能が正常に動作すると判断された場合、前記第１の送信で前記画像データを前記送信先に送信する、請求項５に記載の画像処理装置。
【請求項７】
前記検出手段は、前記画像データの画像処理を行う画像処理部に異常があることが検出された場合、前記画像処理部における画像の圧縮伸張機能が正常に動作するか否かを判断し、
前記検出手段は、前記圧縮伸張機能が正常に動作しないと判断された場合、前記画像処理装置の表示部に、前記第１の送信手段が故障していることを示すメッセージを表示させる、請求項３乃至５のいずれか一項に記載の画像処理装置。
【請求項８】
前記第１の送信手段は、前記圧縮伸張機能が正常に動作すると判断された場合、前記第１の送信で前記画像データを前記送信先に送信する、請求項７に記載の画像処理装置。
【請求項９】
前記検出手段により所定の異常が検出された場合に、前記第２の送信を前記第２の送信手段に実行させるか否かを設定する設定手段を有する、請求項１乃至８のいずれか一項に記載の画像処理装置。
【請求項１０】
ＰＳＴＮ回線、及びＩＰ回線に接続され、前記ＰＳＴＮ回線を介して送信先に画像データを送信する第１の送信を行う第１の送信手段と、前記ＩＰ回線を介して前記送信先に前記画像データを送信する第２の送信を実行可能な第２の送信手段と、を備える画像処理装置における通信制御方法であって、
前記第１の送信手段が、前記送信先に前記画像データを送信する第１の送信を実行するステップと、
前記第１の送信手段が、前記第１の送信で発生する異常を検出するステップと、
前記異常を検出するステップで所定の異常が検出された場合、前記第２の送信手段が、前記送信先に前記画像データを送信する第２の送信を実行するステップと、
を含む通信制御方法。
【発明の詳細な説明】
【技術分野】
【０００１】
本発明は、画像処理装置、及び通信制御方法に関する。
【背景技術】
【０００２】
ＩＰネットワークにおいて、インターネットファクシミリプロトコル（ＩＦＰ：Internet Fax Protocol）を用いてファクシミリ送受信を行うインターネットファクシミリ（以下、ＩＰ−ＦＡＸと呼ぶ）が知られている。ＩＰ−ＦＡＸでは、従来のＰＳＴＮ（Public Switched Telephone Network）回線に代えて、例えば、ＮＧＮ（Next Generation Network）回線等のＩＰ回線を介して、送信側の装置と受信側の装置とが接続される。
【０００３】
また、ＩＰ−ＦＡＸを用いてファクシミリ送信する際に、異常が発生してファクシミリ送信できない場合、ＮＧＮ回線からＰＳＴＮ回線への切り替えを行い、ＰＳＴＮ回線でファクシミリ送信を行う回線選択装置が知られている（例えば、特許文献１参照）。
【発明の概要】
【発明が解決しようとする課題】
【０００４】
しかし、特許文献１に開示された技術では、ＰＳＴＮ回線を用いてファクシミリ送信する際に、ＰＳＴＮ回線や、ファクシミリの送信機能等に異常が発生すると、ファクシミリ送信を行うことができないという問題がある。
【０００５】
本発明の実施の形態は、上記の問題点に鑑みてなされたものであって、ＰＳＴＮ回線、及びＩＰ回線に接続され、画像データの通信を行う画像処理装置において、ＰＳＴＮ回線で異常が発生した場合でも画像データの通信を行うことができるようにする。
【課題を解決するための手段】
【０００６】
上記課題を解決するため、本発明の一実施形態に係る画像処理装置は、ＰＳＴＮ回線、及びＩＰ回線に接続される画像処理装置であって、前記ＰＳＴＮ回線を介して送信先に画像データを送信する第１の送信を行う第１の送信手段と、前記ＩＰ回線を介して前記送信先に前記画像データを送信する第２の送信を実行可能な第２の送信手段と、前記第１の送信で発生する異常を検出する検出手段と、前記検出手段により所定の異常が検出された場合、前記送信先に前記画像データを送信する前記第２の送信を、前記第２の送信手段に実行させる通信制御手段と、を有する。
【発明の効果】
【０００７】
本発明の一実施形態によれば、ＰＳＴＮ回線、及びＩＰ回線に接続され、画像データの通信を行う画像処理装置において、ＰＳＴＮ回線で異常が発生した場合でも画像データの通信を行うことができるようになる。
【図面の簡単な説明】
【０００８】
【図１】一実施形態に係る画像処理装置の構成例を示す図である。
【図２】一実施形態に係る主制御部のハードウェア構成の例を示す図である。
【図３】一実施形態に係る主制御部の機能構成の例を示す図である。
【図４】一実施形態に係るファクシミリ送信処理の例を示すフローチャートである。
【図５】一実施形態に係るＰＳＴＮ回線からＮＧＮ回線への切替処理の例を示すフローチャートである。
【図６】第１の実施形態に係るファクシミリ送信処理の例を示すフローチャートである。
【図７】第２の実施形態に係るファクシミリ送信処理の例を示すフローチャートである。
【図８】第３の実施形態に係るファクシミリ送信処理の例を示すフローチャートである。
【図９】第４の実施形態に係るファクシミリ送信処理の例を示すフローチャートである。
【図１０】第５の実施形態に係るファクシミリ送信処理の例を示すフローチャートである。
【図１１】第５の実施形態に係る設定画面の例を示す図である。
【発明を実施するための形態】
【０００９】
以下に、本発明の実施の形態について、添付の図面を参照して説明する。
【００１０】
＜画像処理装置の構成＞
図１は、一実施形態に係る画像処理装置の構成例を示す図である。画像処理装置１００は、例えば、ファクスコントロールユニット（以下、ＦＣＵと呼ぶ）１、コントローラ２０、操作部３０、読取部４０、及びエンジン部５０等を有する。
【００１１】
ＦＣＵ１は、ＰＳＴＮ（Public Switched Telephone Network）回線１１に接続され、ファクシミリ送信及び受信を制御する。なお、ＦＣＵ１は、ＰＳＴＮ回線を介して送信先に送信画像を送信する第１の送信（Ｇ３ファクス通信）を行う第１の送信手段の一例である。
【００１２】
また、ここでは画像処理装置の一実施形態としてファクシミリを例に説明をするが、ＰＳＴＮ回線１１に接続される装置であれば、ファクシミリに限定する必要はない。
【００１３】
ＦＣＵ１は、例えば、ＦＣＵ制御部２、モデム３、ＳｉＤＡＡ（ＳＳＤ）４、ＳｉＤＡＡ（ＬＳＤ）５、通信回路６、ＲＯＭ（Read Only Memory）７、不揮発性ＲＡＭ（Random Access Memory）８、ＲＡＭ９、２次電池、及び異常検出部１３等を含む。
【００１４】
ＦＣＵ制御部２は、マイクロプロセッサ等から構成されるＣＰＵ（Central Processing Unit）である。ＦＣＵ制御部２は、例えば、ＲＯＭ７等に記憶されたプログラムを実行し、プログラムに従って、モデム３、ＳｏＤＡＡ（ＳＳＤ）４、ＳｉＤＡＡ（ＬＳＤ）５、通信回路６、ＲＡＭ９、２次電池（充電部を含む）１０、及び不揮発性ＲＡＭ８等を制御する。
【００１５】
また、ＦＣＵ制御部２は、ＰＳＴＮ回線１１を介してファクシミリ送信するときに送信する画像データを圧縮し、及びファクシミリ受信する圧縮された画像データを伸張する圧縮伸張機能を有する。なお、ＦＣＵ制御部２は、送信する画像データ（送信画像）の画像処理を行う画像処理部の一例である。
【００１６】
モデム３は、Ｇ３規格のファクシミリ（以下、Ｇ３ファクスと呼ぶ）の変復調を行うＧ３モデムと、Ｇ３モデムに接続されたクロック発生回路等によって構成される。モデム３は、ＦＣＵ制御部２による制御に従って、送信画像データを変調し、受信画像データを復調する。なお、モデム３は、ＦＣＵ１の変復調部の一例である。
【００１７】
ＳｉＤＡＡ（ＳＳＤ）４は、ＳｉＤＡＡ（Silicon Data Access Arrangement）のシステムサイドデバイスである。ＳｉＤＡＡ（ＳＳＤ）４は、ＳｉＤＡＡ（ＬＳＤ）５と画像データや制御信号の送受信を行うと共に、モデム３と画像データや制御信号の送受信を行う。
【００１８】
ＳｉＤＡＡ（ＬＳＤ）５は、ＳｉＤＡＡのラインサイドデバイスである。ＳｉＤＡＡ（ＬＳＤ）５は、ＰＳＴＮ回線１１と通信回路６を介して接続し、ファクシミリ通信（Ｇ３ファクス）に関する画像データの送受信を行うと共に、通信回路６と共に回線接続、回線開放、呼出信号の検出、及び極性反転の検出等を行う。また、ＳｉＤＡＡ（ＬＳＤ）５は、回線制御を行うための信号を、ＳｉＤＡＡ（ＳＳＤ）との間で送受信する。
【００１９】
通信回路６は、ＦＣＵ１をＰＳＴＮ回線に接続するためのインタフェースであり、外付電話１２等を接続するためのインタフェースも備えている。
【００２０】
ＲＯＭ７は、ＦＣＵ１のプログラム等を記憶する不揮発性のメモリである。不揮発性ＲＡＭ８は、ＦＣＵ１の電源が遮断された場合であっても記憶しておくべき情報（例えば、短縮ダイヤル番号等）を記憶する不揮発性のメモリである。
【００２１】
ＲＡＭ９は、読取部４０によって読み取られた２値化画像データを記憶する。記憶した２値化画像データ（送信画像）は、モデム３によって変調され、ＳｉＤＡＡ（ＳＳＤ）４、ＳＩＤＡＡ（ＬＳＤ）５、及び通信回路６を介してＰＳＴＮ回線１１に出力される。
【００２２】
また、ＰＳＴＮ回線１１から受信したアナログ波形信号は、通信回路６、ＳＩＤＡＡ（ＬＳＤ）５、ＳｉＤＡＡ（ＳＳＤ）４を介して、モデム３によって復調され、復調された２値化画像データ（受信画像）はＲＡＭ９に記憶される。
【００２３】
２次電池１０は、停電時等に、ＲＡＭ９に記憶された画像データ等をバックアップするためのバッテリである。２次電池１０は、例えば、数時間程度、ＲＡＭ９に記憶されたデータをバックアップすることができる。
【００２４】
異常検出部１３は、ＦＣＵ制御部２、モデム３、通信回路６、及びコントローラ２０等と接続され、ＦＣＵ１で発生する異常を検出するマイコン（マイクロコンピュータ）である。異常検出部１３は、ＦＣＵ制御部２、モデム３等のレジスタを読み出すことにより、ＦＣＵ制御部２、モデム３、及びＰＳＴＮ回線１１等に発生した異常（通信エラー等）を検出することができる。
【００２５】
異常検出部１３は、ＦＣＵ１で発生する異常を検出すると、その異常内容により、例えば、ＰＳＴＮ回線１１でファクシミリ送信が可能であるか否かを判断する。また、異常検出部１３は、ＰＳＴＮ回線１１でファクシミリ送信が可能でないと判断された場合、コントローラ２０に検出された異常内容を通知する。なお、異常検出部１３は、ＦＣＵ１によるファクシミリ送信で発生する異常を検出する検出手段の一例である。
【００２６】
コントローラ２０は、画像処理装置１００の全体を制御する制御装置であり、ＦＣＵ１、操作部３０、読取部４０、エンジン部５０等と接続されている。コントローラ２０は、例えば、主制御部２１、及びＮＩＣ（Network Interface Card）２３等を含む。また、主制御部２１は、ＨＤＤ（Dard Disk Drive）２２に接続されている。
【００２７】
（主制御部のハードウェア構成）
図２は、一実施形態に係る主制御部のハードウェア構成の例を示す図である。主制御部２１は、一般的なコンピュータの構成を有しており、例えば、ＣＰＵ２１１、ＲＡＭ２１２、ＲＯＭ２１３、及びＮＶＲＡＭ（Non-Volatile RAM）２１４等を有している。
【００２８】
ＣＰＵ２１１は、ＲＯＭ２１３、ＨＤＤ２２等に記憶された、コントローラ２０用のプログラムを実行することにより、画像処理装置１００の全体の制御や機能を実現する演算装置である。ＲＡＭ２１２は、ＣＰＵ２１１のワークエリア等として用いられる揮発性のメモリである。ＲＯＭ２１３は、プログラムやデータ等を記憶している不揮発性のメモリである。ＮＶＲＡＭ２１４は、例えば設定情報等を格納する書き込み可能な不揮発性のメモリである。
【００２９】
操作部３０は、ユーザからの入力を受付する入力部と、操作画面等を表示する表示部とを備えている。
【００３０】
読取部４０は、例えば、ＤＭＡ（Direct Memory Access）コントローラ、画像処理ＩＣ、イメージセンサ、ロジックＩＣ等から構成される。読取部４０は、例えば、主制御部２１からの制御に従って、画像データを読み取り（スキャン）し、読み取った画像データを２値化した画像データ（２値化画像データ）に変換する。また、読取部４０は、変換した２値化画像データを、順次にＲＡＭ９に転送して、記憶させる。
【００３１】
エンジン部５０は、プリンタ等を備え、主制御部２１からの制御に従って、例えば、ファクシミリ受信した画像データ等を、紙等に印刷する。
【００３２】
ＮＩＣ２３は、ＮＧＮ（Next Generation Network）回線２４に接続されており、主制御部２１の制御により、インターネットファクシミリ（以下、ＩＰ−ＦＡＸと呼ぶ）等の通信を行う。
【００３３】
ＮＧＮ回線２４は、ＩＰ（Internet Protocol）ネットワークを利用して構築された、ＰＳＴＮ回線網（電話回線網）を代替できる次世代の通信インフラであり、音声／映像／画像（ＩＰ−ＦＡＸ等）のようなリアルタイム指向のデータを転送可能な回線網である。
【００３４】
ＮＧＮ回線２４を用いた通信（セッション）では、例えば、ＳＩＰ（Session Initiation Protocol）プロトコルを用いて、装置毎に付与されたＮＧＮ番号（電話番号のようなもの）により、装置間の通信の接続、切断等の呼制御が行われる。なお、ＮＧＮ回線２４は、ＩＰネットワークを利用して構築された回線網（ＩＰ網）の一例である。
【００３５】
ＨＤＤ２２は、例えば、主制御部２１で実行されるＯＳ（Operating System）、プログラム、及び各種のデータ等を記憶する大容量の記憶装置である。
【００３６】
ＦＣＵ１は、主制御部２１の制御に従って、ＰＳＴＮ回線１１を介してＧ３ファクス送信（第１の送信）、及びＧ３ファクス受信を行う。なお、ＰＳＴＮ回線１１に接続される装置と同様に、ＮＧＮ回線２４に接続される装置であれば、ファクシミリに限定する必要はない。
【００３７】
（主制御部の機能構成）
図３は、一実施形態に係る主制御部の機能構成の例を示す図である。主制御部２１は、ＣＰＵ２１１でプログラムを実行することにより、操作受付部３０１、画像取得部３０２、画像形成部３０３、ＦＡＸ制御部３０４、ＩＰ−ＦＡＸ部３０５、通信制御部３０６、表示制御部３０７、記憶部３０８、機器設定部３０９等を実現している。
【００３８】
操作受付部３０１は、ユーザによる操作部３０等への操作（例えば、ファクシミリ送信操作等）を受付する。
【００３９】
画像取得部３０２は、ファクシミリ送信する送信画像を、例えば、読取部４０、又はＦＣＵ１のＲＡＭ９等から取得する。
【００４０】
画像形成部３０３は、エンジン部５０を制御して、例えば、ファクシミリ受信した受信画像等を印刷する。
【００４１】
ＦＡＸ制御部３０４は、ＦＣＵ１を制御して、ＰＳＴＮ回線１１を介してＧ３ファクスの送信、及び受信を実行させる。
【００４２】
ＩＰ−ＦＡＸ部３０５は、ＮＧＮ回線２４を介してＩＰ−ＦＡＸの送信、及び受信を実行する。ＩＰ−ＦＡＸ部３０５は、例えば、主制御部２１のＣＰＵ２１１で実行されるプログラムによって実現される。
【００４３】
なお、ＩＰ−ＦＡＸ部３０５は、ＮＧＮ回線（ＩＰ回線）２４を介して、送信先に送信画像を送信するＩＰ−ＦＡＸ送信（第２の送信）を実行可能な第２の送信手段の一例である。ＩＰ−ＦＡＸ部３０５は、例えば、主制御部２１とは異なるコンピュータによって実現されるものであっても良いし、ＩＰ−ＦＡＸ装置（又はＩＰ−ＦＡＸユニット）等によって実現されるもの等であっても良い。
【００４４】
通信制御部３０６は、ＰＳＴＮ回線１１を介して送信先に送信画像を送信するＧ３ファクス送信する際に、異常検出部１３で所定の異常が検出された場合、ＮＧＮ回線２４を介して送信先に送信画像を送信するＩＰ−ＦＡＸ送信を実行させる。なお、通信制御部３０６による、ＰＳＴＮ回線からＮＧＮ回線への切替処理の例については後述する。
【００４５】
なお、通信制御部３０６は、異常検出部１３により所定の異常が検出された場合、ＮＧＮ回線２４を介して送信先に送信画像を送信するＩＰ−ＦＡＸ送信を実行させる通信制御手段の一例である。
【００４６】
表示制御部３０７は、操作部３０に、画像処理装置の操作画面や、設定画面等を表示させる。
【００４７】
記憶部３０８は、例えば、表１に示すような宛先情報を、ＮＶＲＡＭ２１４、又はＨＤＤ２２等に記憶する。
【００４８】
【表１】
2018152741.tif 000003
表１は、記憶部３０８が記憶する宛先情報のイメージが示されている。宛先情報には、例えば、「宛先名」毎に、「電話番号」と「ＮＧＮ番号」とが対応付けて記憶されている。
【００４９】
「宛先名」は、宛先となる端末（又はユーザ）の名前、又は識別情報等の情報である。「電話番号」は、ＰＳＴＮ回線１１において、宛先となる端末と通信するための識別情報である。「ＮＧＮ番号」は、ＮＧＮ回線２４において、宛先となる端末と通信するための識別情報である。なお、「電話番号」と「ＮＧＮ番号」は、同じ識別情報であっても良い。
【００５０】
機器設定部３０９は、操作部３０に画像処理装置１００の設定画面を表示させて、画像処理装置１００の各種の設定を受付する。例えば、ユーザは、機器設定部３０９が操作部３０に表示させる設定画面により、通信制御部３０６による、ＰＳＴＮ回線からＮＧＮ回線への切替処理を行うか否かの設定を行うことができる。
【００５１】
なお、機器設定部３０９は、異常検出部１３により所定の異常が検出された場合に、ＰＳＴＮ回線からＮＧＮ回線への切替処理を行うか否かの設定を行う設定手段の一例である。
【００５２】
＜処理の流れ＞
続いて、本実施形態に係る画像処理装置１００における通信制御方法の処理の流れについて説明する。
【００５３】
（通信制御処理）
図４は、一実施形態に係るファクシミリ送信処理の例を示すフローチャートである。この処理は、ユーザが画像処理装置１００に対して、Ｇ３ファクスの送信操作を行ったときに、画像処理装置１００によって実行されるファクシミリ送信処理の概要を示している。
【００５４】
ステップＳ４０１において、画像処理装置１００は、操作受付部３０１により、ユーザのファクシミリ送信操作を受付すると、画像取得部３０２により、ファクシミリ送信画像を取得する。例えば、画像取得部３０２は、読取部４０に対して、画像データの読み取りを指示する。
【００５５】
読取部４０は、画像取得部３０２からの指示に従って、画像データを読み取り（スキャン）し、読み取った画像データを２値化した２値化画像データに変換する。また、読取部４０は、変換した２値化画像データをＲＡＭ９に転送し、記憶させる。
【００５６】
ステップＳ４０２において、画像処理装置１００のＦＡＸ制御部３０４は、ＦＣＵ１に対して、操作受付部３０１が受付した宛先（以下、送信先と呼ぶ）へ、ＲＡＭ９に記憶された２値化画像データ（以下、送信画像と呼ぶ）のファクシミリ送信を指示する。ＦＣＵ１は、ＦＡＸ制御部３０４からの指示に従って、ＰＳＴＮ回線１１を介して送信先に送信画像を送信するＧ３ファクス送信（第１の送信）を開始する。
【００５７】
ステップＳ４０３において、ＦＣＵ１の異常検出部１３は、所定の異常が検出されたかを判断する。なお、「所定の異常」の具体的な例については、第１〜第４の実施形態で後述する。
【００５８】
例えば、異常検出部１３は、ＦＣＵ制御部２、モデム３等のレジスタを読み出すことにより、ＦＣＵ制御部２、モデム３、及びモデム３に接続されるＰＳＴＮ回線１１等に発生した異常（エラー等）を検出する。また、異常検出部１３は、異常が検出された場合、異常の内容を確認し、予め定められた「所定の異常」である場合、所定の異常が検出されたと判断する。
【００５９】
所定の異常が検出されない場合、ＦＣＵ１は、処理をステップＳ４０７に移行させて、ＰＳＴＮ回線１１でファクシミリ送信を完了させる。
【００６０】
一方、所定の異常が検出された場合、異常検出部１３は、処理をステップＳ４０４に移行させて、コントローラ２０の主制御部２１に、所定の異常が検出されたことを通知する。
【００６１】
ステップＳ４０５において、主制御部２１の通信制御部３０６は、異常検出部１３からの通知を受付すると、ＰＳＴＮ回線１１からＮＧＮ回線２４に切替えてファクシミリ送信を行う切替処理を実行する。このとき、通信制御部３０６が実行する切替処理の例を図５に示す。
【００６２】
図５は、一実施形態に係るＰＳＴＮ回線からＮＧＮ回線への切替処理の例を示すフローチャートである。この処理は、図４のステップＳ４０５の処理に対応している。
【００６３】
ステップＳ５０１において、主制御部２１の通信制御部３０６は、ＦＡＸ制御部３０４を介して、ＦＣＵ１に、ＰＳＴＮ回線１１によるファクシミリ送信を中止させる。
【００６４】
ステップＳ５０２において、主制御部２１の通信制御部３０６は、画像取得部３０２に、送信画像の取得を指示する。画像取得部３０２は、通信制御部３０６からの指示に応じて、例えば、ＦＣＵ１のＲＡＭ９に記憶された送信画像を取得する。
【００６５】
ステップＳ５０３において、主制御部２１の通信制御部３０６は、ＮＧＮ回線の送信先情報（例えば、ＮＧＮ番号）を取得する。例えば、通信制御部３０６は、ＦＡＸ制御部３０４等から送信先の電話番号を取得し、取得した電話番号に対応するＮＧＮ番号を、表１に示すような宛先情報から取得する。
【００６６】
ステップＳ５０４において、主制御部２１の通信制御部３０６は、ＩＰ−ＦＡＸ部３０５に、ＮＧＮ回線（ＩＰ回線）２４を介して、送信先に送信画像を送信するＩＰ−ＦＡＸ送信（第２の送信）の実行を指示する。ＩＰ−ＦＡＸ部３０５は、通信制御部３０６からの指示に従って、ステップＳ５０３で取得した送信先のＮＧＮ番号に、ステップＳ５０２で取得した送信画像を、ＩＰ−ＦＡＸでファクシミリ送信を行う。
【００６７】
ここで、図４に戻り、ファクシミリ送信処理の説明を続ける。
【００６８】
ステップＳ４０６において、主制御部２１のＩＰ−ＦＡＸ部３０５は、ＮＧＮ回線２４でファクシミリ送信を完了させる。
【００６９】
上記の処理により、ＰＳＴＮ回線１１、及びＮＧＮ回線（ＩＰ回線）２４に接続され、ファクシミリ送信を行う画像処理装置１００において、ＰＳＴＮ回線１１で所定の異常が発生した場合、ＮＧＮ回線２４でファクシミリ送信を行うことができるようになる
続いて、具体的なファクシミリ送信処理について、複数の実施形態を例示して説明を行う。
【００７０】
［第１の実施形態］
図６は、第１の実施形態に係るファクシミリ送信処理の例を示すフローチャートである。なお、図６のステップＳ４０１、Ｓ４０２、Ｓ４０４〜Ｓ４０７の処理は、図４に示す一実施形態に係るファクシミリ送信処理と同様なので、ここでは、図４に示す処理との相違点を中心に説明を行う。
【００７１】
ステップＳ６０１において、ＦＣＵ１の異常検出部１３は、ＰＳＴＮ回線１１でファクシミリ送信する際に異常が検出されたかを判断する。例えば、異常検出部１３は、ＦＣＵ制御部２、モデム３等のレジスタを読み出すことにより、ＦＣＵ制御部２、モデム３、及びモデム３に接続されるＰＳＴＮ回線１１等に発生した異常（エラー等）の有無を検出する。
【００７２】
異常が検出されない場合、異常検出部１３は、処理をステップＳ４０７に移行させる。一方、異常が検出された場合、異常検出部１３は、処理をステップＳ６０２に移行させる。
【００７３】
ステップＳ６０２に移行すると、異常検出部１３は、検出された異常の発生要因を確認する。例えば、異常検出部１３は、ＦＣＵ制御部２、モデム３等のレジスタから読み出ししたエラー情報（例えば、エラー名、エラーコード、エラー種別等）を確認する。
【００７４】
ステップＳ６０３において、異常検出部１３は、ステップＳ６０３で確認した異常の発生要因から、ＰＳＴＮ回線１１によるファクシミリ送信が不可であるか（送信可能であるか否か）を判断する。
【００７５】
例えば、異常検出部１３は、異常検出部（マイコン）１３のフラッシュＲＯＭ等に、ＰＳＴＮ回線１１によるファクシミリ送信が不可であるエラー情報を予め記憶しておく。また、異常検出部１３は、ステップＳ６０２で読み出ししたエラー情報に、予め記憶したＰＳＴＮ回線１１によるファクシミリ送信が不可であるエラー情報が含まれる場合、ＰＳＴＮ回線１１によるファクシミリ送信が不可であると判断する。
【００７６】
ＰＳＴＮ回線１１によるファクシミリ送信が不可でないと判断された場合、すなわち、ＰＳＴＮ回線１１によりファクシミリ送信可能であると判断された場合、異常検出部１３は、処理をステップＳ４０７に移行させる。
【００７７】
一方、ＰＳＴＮ回線１１によるファクシミリ送信が不可であると判断された場合、異常検出部１３は、処理をステップＳ４０４に移行させる。
【００７８】
上記の処理により、画像処理装置１００は、ＰＳＴＮ回線１１でファクシミリ送信を行う際に、ＰＳＴＮ回線１１によるファクシミリ送信ができない異常（所定の異常の一例）が発生した場合、ＮＧＮ回線２４でファクシミリ送信を行うことができるようになる。
【００７９】
［第２の実施形態］
図７は、第２の実施形態に係るファクシミリ送信処理の例を示す図である。なお、図６のステップＳ４０１、Ｓ４０２、Ｓ４０４〜Ｓ４０７の処理は、図４に示す一実施形態に係るファクシミリ送信処理と同様なので、ここでは、図４に示す処理との相違点を中心に説明を行う。
【００８０】
ステップＳ７０１において、ＦＣＵ１の異常検出部１３は、ＰＳＴＮ回線１１でファクシミリ送信する際に異常が検出されたかを判断する。例えば、異常検出部１３は、ＦＣＵ制御部２、モデム３等のレジスタを読み出すことにより、ＦＣＵ制御部２、モデム３、及びモデム３に接続されるＰＳＴＮ回線１１等に発生した異常（エラー等）の有無を検出する。
【００８１】
異常が検出されない場合、異常検出部１３は、処理をステップＳ４０７に移行させる。一方、異常が検出された場合、異常検出部１３は、処理をステップＳ７０２に移行させる。
【００８２】
ステップＳ７０２に移行すると、異常検出部１３は、検出された異常の発生要因を確認する。例えば、異常検出部１３は、ＦＣＵ制御部２、モデム３等のレジスタから読み出ししたエラー情報（例えば、エラー名、エラーコード、エラー種別等）を確認する。
【００８３】
ステップＳ７０３において、異常検出部１３は、ステップＳ７０２で確認した異常の発生要因から、ＰＳＴＮ回線１１の通信回線側で異常が検出されたかを判断する。
【００８４】
例えば、異常検出部１３は、異常検出部（マイコン）１３のフラッシュＲＯＭ等に、ＰＳＴＮ回線１１の通信側で異常が検出された場合のエラー情報を予め記憶しておく。また、異常検出部１３は、ステップＳ６０２で読み出ししたエラー情報に、予め記憶したＰＳＴＮ回線１１の通信側で異常が検出された場合のエラー情報が含まれる場合、ＰＳＴＮ回線１１の通信回線側で異常が検出されたと判断する。
【００８５】
なお、ＰＳＴＮ回線１１の通信側で検出される異常には、例えば、送信先が通信中である場合、送信先に機器が接続されていない場合、或いは、送信先の機器が通信できない状態（例えば、再起動中等）である場合等が含まれる。
【００８６】
ＰＳＴＮ回線１１の通信回線側で異常が検出されたと判断された場合、異常検出部１３は、処理をステップＳ７０４に移行させる。一方、ＰＳＴＮ回線１１の通信回線側で異常が検出されたと判断されない場合、異常検出部１３は、処理をステップＳ４０４に移行させる。
【００８７】
ステップＳ７０４に移行すると、異常検出部１３は、ＰＳＴＮ回線１１でファクシミリ送信を開始してから、所定の時間を経過しているかを判断する。なお、所定の時間は、例えば、ＰＳＴＮ回線１１で送信先にファクシミリ送信することができないと判断するための時間が、予め設定されているものとする。
【００８８】
所定の時間を経過していないと判断された場合、異常検出部１３は、処理をステップＳ４０２に戻して、ＰＳＴＮ回線１１でファクシミリ送信を再度実行させる。
【００８９】
一方、所定の時間を経過していると判断された場合、異常検出部１３は、処理をステップＳ４０４に移行させる。
【００９０】
上記の処理により、画像処理装置１００は、ＰＳＴＮ回線１１でファクシミリ送信を行う際に、ＰＳＴＮ回線１１の通信回線側で異常（所定の異常の一例）が検出された場合、所定の時間、ファクシミリ送信を、例えば、所定の時間間隔でリトライする。また、画像処理装置１００は、所定の時間内にファクシミリ送信のリトライに成功しない場合、及び他の異常が検出された場合、ＮＧＮ回線２４でファクシミリ送信を行うことができるようになる。
【００９１】
［第３の実施形態］
図８は、第３の実施形態に係るファクシミリ送信処理の例を示すフローチャートである。なお、基本的な処理の流れは、図７に示す第２の実施形態に係るファクシミリ送信処理と同様なので、ここでは、図７に示す処理との相違点を中心に説明を行う。
【００９２】
ステップＳ８０１において、異常検出部１３は、第２の実施形態と同様に、ステップＳ７０２で確認した異常の発生要因から、ＰＳＴＮ回線１１の通信回線側で異常が検出されたかを判断する。
【００９３】
ＰＳＴＮ回線１１の通信回線側で異常が検出されたと判断された場合、異常検出部１３は、第２の実施形態と同様に、処理をステップＳ７０４に移行させる。
【００９４】
一方、ＰＳＴＮ回線１１の通信回線側で異常が検出されたと判断されない場合、異常検出部１３は、処理をステップＳ８０２に移行させる。
【００９５】
ステップＳ８０２に移行すると、異常検出部１３は、モデム３の変復調機能に異常があるかを判断する。
【００９６】
例えば、異常検出部１３は、ステップＳ７０２で確認した異常の発生要因が、モデム３に関する異常である場合、モデム３の変復調機能が正常に動作しているかを確認する。また、異常検出部１３、モデム３の変復調機能が正常に動作していないことが確認された場合、モデム３の変復調機能に異常があると判断する。
【００９７】
一例として、異常検出部１３は、モデム３のループバック機能を利用して、モデム３が変調したデータをモデム３自身で復調させて、正常に変調及び復調が動作しているかを確認することができる。
【００９８】
モデム３の変復調機能に異常があると判断された場合、異常検出部１３は、処理をステップＳ４０４に移行させる。
【００９９】
一方、モデム３の変復調機能に異常があると判断されない場合、異常検出部１３は、処理をステップＳ４０７に移行させて、ＰＳＴＮ回線１１でファクシミリ送信を完了させる。
【０１００】
上記の処理により、画像処理装置１００は、ＰＳＴＮ回線１１でファクシミリ送信を行う際に、モデム３の変復調機能の異常（所定の異常）が検出された場合、ＮＧＮ回線２４でファクシミリ送信を行うことができるようになる。
【０１０１】
［第４の実施形態］
図９は、第４の実施形態に係るファクシミリ送信処理の例を示すフローチャートである。なお、基本的な処理の流れは、図７、８に示す第２、第３の実施形態に係るファクシミリ送信処理と同様なので、ここでは、図７、８に示す処理との相違点を中心に説明を行う。
【０１０２】
ステップＳ９０１において、異常検出部１３は、第２の実施形態と同様に、モデム３の変復調機能に異常があるかを判断する。
【０１０３】
モデム３の変復調機能に異常があると判断された場合、異常検出部１３は、第２の実施形態と同様に、処理をステップＳ４０４に移行させる。
【０１０４】
一方、モデム３の変復調機能に異常があると判断されない場合、異常検出部１３は、処理をステップＳ９０２に移行させる。
【０１０５】
ステップＳ９０２に移行すると、異常検出部１３は、ＦＣＵ制御部２の画像の圧縮伸張機能に異常があるかを判断する。
【０１０６】
例えば、異常検出部１３は、ステップＳ７０２で確認した異常の発生要因が、ＦＣＵ制御部２に関する異常である場合、ＦＣＵ制御部２の画像の圧縮伸張機能が正常に動作しているかを確認する。また、異常検出部１３は、ＦＣＵ制御部２の画像の圧縮伸張機能が正常に動作していないことが確認された場合、ＦＣＵ制御部２の画像の圧縮伸張機能に異常があると判断する。
【０１０７】
ＦＣＵ制御部２の画像の圧縮伸張機能に異常があると判断されない場合、異常検出部１３は、処理をステップＳ４０７に移行させる。
【０１０８】
一方、ＦＣＵ制御部２の画像の圧縮伸張機能に異常があると判断された場合、異常検出部１３は、処理をステップＳ９０３に移行させる。
【０１０９】
ステップＳ９０３に移行すると、画像処理装置１００は、操作部３０等に、ＰＳＴＮ回線１１でファクシミリ送信を行うファクシミリ機能が故障していることを示すメッセージを表示する。
【０１１０】
例えば、異常検出部１３は、ＦＣＵ制御部２の画像の圧縮伸張機能に異常があることを示す異常内容を、コントローラ２０に通知する。コントローラ２０の通信制御部３０６は、ＦＣＵ制御部２の画像の圧縮伸張機能に異常があることを示す異常内容が通知されると、表示制御部３０７を用いて、操作部３０に、ファクシミリ機能が故障していることを示すメッセージを表示させる。
【０１１１】
上記の処理により、画像処理装置１００は、ＰＳＴＮ回線１１でファクシミリ送信を行う際に、ＦＣＵ制御部２の画像の圧縮伸張機能に異常があることが検出された場合、ファックス機能が故障していることをユーザに通知することができるようになる。
【０１１２】
［第５の実施形態］
図１０は、第５の実施形態に係るファクシミリ送信処理の例を示すフローチャートである。なお、図１０のステップＳ４０１、Ｓ４０２、Ｓ４０３〜Ｓ４０７の処理は、図４に示す一実施形態に係るファクシミリ送信処理と同様なので、ここでは、図４に示す処理との相違点を中心に説明を行う。
【０１１３】
ステップＳ４０２で、ＦＣＵ１が、ＰＳＴＮ回線１１を介してファクス送信が開始されると、ステップＳ１００１において、異常検出部１３は、ＰＳＴＮ回線からＮＧＮ回線への切替処理の設定が「有効」であるかを判断する。
【０１１４】
画像処理装置１００のユーザ（又は管理者）は、例えば、図１１に示すような設定画面１１０１から、通信制御部３０６によるＰＳＴＮ回線からＮＧＮ回線への切替処理（ＩＰ−ＦＡＸ切替機能）を有効にするか否かを、予め設定することができるものとする。
【０１１５】
例えば、主制御部２１の操作受付部３０１が、ユーザ等による設定開始操作を受付すると、機器設定部３０９は、表示制御部３０７を用いて、操作部３０に、図１１に示すような設定画面１１０１を表示させる。
【０１１６】
設定画面１１０１において、「はい」が選択されると、機器設定部３０９は、ＩＰ−ＦＡＸ切替機能の設定を有効に設定する。一方、設定画面１１０１において「いいえ」が選択されると、機器設定部３０９は、ＩＰ−ＦＡＸ切替機能の設定を無効に設定する。
【０１１７】
一例として、機器設定部３０９は、設定されたＩＰ−ＦＡＸ切替機能の設定内容を、異常検出部１３に通知し、異常検出部１３は、通知された設定内容を、フラッシュＲＯＭ等の不揮発性のメモリに記憶しておく。
【０１１８】
また、別の一例として、異常検出部１３は、主制御部２１に問合せを行うことにより、設定されたＩＰ−ＦＡＸ切替機能の設定内容を取得することができる。
【０１１９】
ステップＳ１００１において、ＩＰ−ＦＡＸ切替機能の設定が有効であると判断された場合、異常検出部１３は、処理をステップＳ４０３に移行させる。一方、ＩＰ−ＦＡＸ切替機能の設定が有効でないと判断された場合、異常検出部１３は、処理をステップＳ４０７に移行させる。
【０１２０】
上記の処理により、画像処理装置１００は、ユーザ（又は管理者）等が、ファクシミリ送信処理における、ＰＳＴＮ回線からＮＧＮ回線への切替処理を行うか否かを任意に設定することができるようになる。
【０１２１】
以上、本発明の各実施形態によれば、ＰＳＴＮ回線、及びＩＰ回線に接続され、ファクシミリ送信を行う画像処理装置１００において、ＰＳＴＮ回線で異常が発生した場合でもファクシミリ送信を行うことができるようになる。
【０１２２】
なお、第１〜５の実施形態は、任意の組み合わせで実施することができる。例えば、第５の実施形態は、第１〜４の実施形態と組み合わせて実施することができる。
【符号の説明】
【０１２３】
１００      画像処理装置
１          ＦＣＵ（第１の送信手段）
２          ＦＣＵ制御部（画像処理部）
３          モデム（変復調部）
１１        ＰＳＴＮ回線
１３        異常検出部（検出手段）
２４        ＮＧＮ回線（ＩＰ回線）
３０５      ＩＰ−ＦＡＸ部（第２の送信手段）
３０６      通信制御部（通信制御手段）
３０９      機器設定部（設定手段）
【先行技術文献】
【特許文献】
【０１２４】
【特許文献１】特開２０１４−１０７８６０号公報
【図１】
2018152741.tif 000004
【図２】
2018152741.tif 000005
【図３】
2018152741.tif 000006
【図４】
2018152741.tif 000007
【図５】
2018152741.tif 000008
【図６】
2018152741.tif 000009
【図７】
2018152741.tif 000010
【図８】
2018152741.tif 000011
【図９】
2018152741.tif 000012
【図１０】
2018152741.tif 000013
【図１１】
2018152741.tif 000014